(57)【要約】【課題】  着脱容易で、がたつきのなく安定したボタンスイッチ部材及びボタンスイッチを提供することをその目的とする。【解決手段】  ボタンスイッチ８０に設けられるボタンスイッチ部材５０は、基体部５１と、基体部５１の一端近傍表面側に設けられ下ケース１２に形成された円形開口部３６よりプリンタ１の外部へ突出する操作部５２と、基体部５１の背面側に設けられ操作部５２の操作によりスイッチ基板７２のスイッチ７８の被押圧部７９を押圧する押圧部５３と、基体部５１の他端に設けられ下ケース１２の軸受部３８に支持される軸部５５と、基体部５１と角度を為すように軸部５５に設けられ弾性変形した状態でプリンタ１の係止部材３４に取り付けられる係止片５６と、係止片５６の弾性力により下ケース１２の内側面１９ａの開口周縁部１９ｃに当接する当接部５７を備えている。【選択図】図６
2006150871.tif 000002
【特許請求の範囲】
【請求項１】
基体部と、
前記基体部の一端近傍表面側に設けられ、機器筺体に形成された開口より機器筐体外部へ突出する操作部と、
前記基体部の背面側に設けられ、前記操作部の操作によりスイッチ基板に設けられたスイッチの被押圧部を押圧する押圧部と、
前記基体部の他端に設けられ、前記機器筐体に設けられる軸受部に支持される軸部と、
前記基体部と角度を為すように前記軸部に設けられ、弾性変形した状態で前記機器筐体に取り付けられる係止片と、
前記係止片の弾性力により、前記機器筺体の内壁面に対して当接する当接部と、を、備えたボタンスイッチ部材。
【請求項２】
前記基体部、前記操作部、前記押圧部、前記軸部、前記係止片、及び前記当接部は、一体成形されている請求項１記載のボタンスイッチ部材。
【請求項３】
基体部と、前記基体部の一端近傍表面側に設けられ、機器筺体に形成された開口より機器筐体外部へ突出する操作部と、前記基体部の背面側に設けられ、前記操作部の操作によりスイッチ基板に設けられたスイッチの被押圧部を押圧する押圧部と、前記基体部の他端に設けられ、前記機器筐体に設けられる軸受部に支持される軸部と、前記基体部と角度を為すように前記軸部に設けられ、弾性変形した状態で前記機器筐体に取り付けられる係止片と、前記係止片の弾性力により、前記機器筺体の内壁面に対して当接する当接部とを、それぞれ備えた複数のボタンスイッチ部材を備え、
前記複数のボタンスイッチ部材の係止片が接続板によって一体化されたボタンスイッチ部材。
【請求項４】
前記基体部、前記操作部、前記押圧部、前記軸部、前記係止片、前記当接部及び前記係止板は、一体成形されている請求項３記載のボタンスイッチ部材。
【請求項５】
請求項１〜４の何れか一項に記載のボタンスイッチ部材を備えた電子機器。
【請求項６】
請求項１〜４の何れか一項に記載のボタンスイッチ部材を備えたプリンタ。
【請求項７】
基体部と、前記基体部の一端近傍表面側に設けられ、機器筺体に形成された開口より機器筐体外部へ突出する操作部と、前記基体部の背面側に設けられた押圧部と、前記基体部の他端に設けられ、前記機器筐体に設けられる軸受部に支持される軸部と、前記基体部と角度を為すように前記軸部に設けられ、弾性変形した状態で前記機器筐体に取り付けられる係止片と、前記係止片の弾性力により、前記機器筺体の内壁面に対して当接する当接部と、を備えたボタンスイッチ部材と、
前記ボタンスイッチ部材の前記操作部が挿通され前記機器筺体外部へ突出する開口部と、前記ボタンスイッチ部材の前記軸部を回動可能に支持する軸受部と、前記ボタンスイッチ部材の前記係止片を弾性変形した状態で係止する係止部材とを備えた前記機器筺体と、
前記操作部の操作により、前記押圧部により押圧される被押圧部を有するスイッチと、
前記スイッチの前記押圧部の操作に応じて信号を出力するスイッチ基板と、を備えたボタンスイッチ。
【請求項８】
請求項７に記載のボタンスイッチを備えた電子機器。
【請求項９】
請求項７に記載のボタンスイッチを備えたプリンタ。
【発明の詳細な説明】
【技術分野】
【０００１】
本発明は、プリンタ等の電子機器に配置されるボタンスイッチ部材及びボタンスイッチに関する。
【背景技術】
【０００２】
今日広く用いられているプリンタ等の電子機器には、電源の投入や停止、リセット命令等のユーザ命令を入力するための、例えば、押しボタン形式のボタンスイッチ部材を備えたボタンスイッチが装着されている。一般的に、ボタンスイッチ部材の多くは、プリンタ等の電子機器から脱落することがないようネジ等によって固定されている。
【０００３】
例えば、ボタンスイッチとしては、例えば図９に示すようなものが挙げられる。ボタンスイッチ部材１２０は、長手方向一端に弾性部１２２が設けられ、長手方向他端には、操作部１２５が設けられている。基体部１２１の長手方向と直角方向には相対峙して弾性変形自在な弾性連結部１２３ａ、１２３ｂが設けられている。電子機器筺体にボタンスイッチ部材１２０を組み付ける際には、弾性連結部１２３ａ、１２３ｂを手で狭持し弾性変形させた状態で電子機器筺体１３３側に設けられた支持片１３１の案内溝に軸部１２４ａ、１２４ｂを介挿することで組み付けられる（図１０参照）。これにより、ボタンスイッチ部材１２０は電子機器筺体１３３に着脱自在に取り付けられる（特許文献１参照）。
【特許文献１】特開平０６−２９０６８２号公報
【発明の開示】
【発明が解決しようとする課題】
【０００４】
しかし、このボタンスイッチ部材１２０の場合には、操作部１２５の押圧時においては弾性部１２２に蓄積された弾性力により操作部１２５は押圧方向と逆向きに付勢され元の状態へ戻ろうとするものの、操作部１２５の非押圧時においては弾性部１２２には弾性力が蓄積されず、ボタンスイッチ部材１２０には付勢力が働かない。このため、弾性連結部１２３ａ，１２３ｂが支持片１３１側にある程度の力で付勢されていないと、電子機器筺体１３３の内壁１３６とスイッチ押圧部１２７との間に、隙間１４０が生じボタンスイッチにがたつきが生じる場合がある（図１０参照）。
【０００５】
また、このボタンスイッチ部材１２０の場合には、軸部１２４ａ、１２４ｂが電子機器筺体１３３側の案内溝へ組み込まれる構造であるため、組み込み時には弾性連結部１２３ａ、１２３ｂあるいは軸受部１３１自体が弾性変形自在でなければならない。すなわち、これら構成部材は弾性部材からなることが必須であり、構造が複雑になってしまう。また、仮に操作部１２５を大きな力で押圧した場合には最悪の場合、軸部１２４ａ、１２４ｂ若しくは軸受部１３１が破損してしまう虞もある。
【０００６】
本発明は、上記問題点を鑑みてなされたものであり、がたつきがなく、ボタン操作感覚性に優れたボタンスイッチ部材及びこのボタンスイッチ部材を備えたボタンスイッチを提供することをその目的とする。
【課題を解決するための手段】
【０００７】
本発明の上記課題は、以下のような構成によって達成される。
（１）  基体部と、
前記基体部の一端近傍表面側に設けられ、機器筺体に形成された開口より機器筐体外部へ突出する操作部と、
前記基体部の背面側に設けられ、前記操作部の操作によりスイッチ基板に設けられたスイッチの被押圧部を押圧する押圧部と、
前記基体部の他端に設けられ、前記機器筐体に設けられる軸受部に支持される軸部と、
前記基体部と角度を為すように前記軸部に設けられ、弾性変形した状態で前記機器筐体に取り付けられる係止片と、
前記係止片の弾性力により、前記機器筺体の内壁面に対して当接する当接部と、を、備えたボタンスイッチ部材。
（２）  前記基体部、前記操作部、前記押圧部、前記軸部、前記係止片、及び前記当接部は、一体成形されている（１）記載のボタンスイッチ部材。
（３）  基体部と、前記基体部の一端近傍表面側に設けられ、機器筺体に形成された開口より機器筐体外部へ突出する操作部と、前記基体部の背面側に設けられ、前記操作部の操作によりスイッチ基板に設けられたスイッチの被押圧部を押圧する押圧部と、前記基体部の他端に設けられ、前記機器筐体に設けられる軸受部に支持される軸部と、前記基体部と角度を為すように前記軸部に設けられ、弾性変形した状態で前記機器筐体に取り付けられる係止片と、前記係止片の弾性力により、前記機器筺体の内壁面に対して当接する当接部とを、それぞれ備えた複数のボタンスイッチ部材を備え、
前記複数のボタンスイッチ部材の係止片が接続板によって一体化されたボタンスイッチ部材。
（４）  前記基体部、前記操作部、前記押圧部、前記軸部、前記係止片、前記当接部及び前記係止板は、一体成形されている（３）記載のボタンスイッチ部材。
（５）  （１）〜（４）の何れか一項に記載のボタンスイッチ部材を備えた電子機器。
（６）  （１）〜（４）の何れか一項に記載のボタンスイッチ部材を備えたプリンタ。
（７）  基体部と、前記基体部の一端近傍表面側に設けられ、機器筺体に形成された開口より機器筐体外部へ突出する操作部と、前記基体部の背面側に設けられた押圧部と、前記基体部の他端に設けられ、前記機器筐体に設けられる軸受部に支持される軸部と、前記基体部と角度を為すように前記軸部に設けられ、弾性変形した状態で前記機器筐体に取り付けられる係止片と、前記係止片の弾性力により、前記機器筺体の内壁面に対して当接する当接部と、を備えたボタンスイッチ部材と、
前記ボタンスイッチ部材の前記操作部が挿通され前記機器筺体外部へ突出する開口部と、前記ボタンスイッチ部材の前記軸部を回動可能に支持する軸受部と、前記ボタンスイッチ部材の前記係止片を弾性変形した状態で係止する係止部材とを備えた前記機器筺体と、
前記操作部の操作により、前記押圧部により押圧される被押圧部を有するスイッチと、
前記スイッチの前記押圧部の操作に応じて信号を出力するスイッチ基板と、を備えたボタンスイッチ。
（８）  （７）に記載のボタンスイッチを備えた電子機器。
（９）  （７）に記載のボタンスイッチを備えたプリンタ。
【発明の効果】
【０００８】
本発明のボタンスイッチ部材によれば、電子機器筺体内に弾性変形した状態で係止片が装着され、その付勢力により当接部が電子機器筺体内壁へ当接されるため、ボタンスイッチ部材ががたつきがなく取り付けられる。したがって、操作において不安感のないボタン操作感覚性に優れたボタンスイッチを提供することが可能である。
【０００９】
また、本発明のボタンスイッチ部材は、電子機器筺体内壁側へ設けられた軸受部と支持部材との間に、ボタンスイッチ部材の軸部を嵌合させることにより取り付けられる。したがって、本発明のボタンスイッチによれば、従来のようにネジ等による締め付け工程を必要とせず、さらに回転軸近傍に複雑な構成を備えた弾性変形自在な弾性連結部等を設けることなく、ボタンスイッチ部材を容易に装着可能である。
【発明を実施するための最良の形態】
【００１０】
以下、本発明に係るボタンスイッチ部材及びボタンスイッチの実施形態を説明する。
【００１１】
図１から図７は本発明に係るボタンスイッチ部材及びボタンスイッチの一実施形態を示したものであり、図１は本実施形態のボタンスイッチ部材を搭載したプリンタの斜視図であり、図２は、本実施形態のボタンスイッチ部分を拡大した斜視図であり、図３は、本実施形態のプリンタの分解斜視図であり、図４及び図５は、本実施形態のボタンスイッチを示す分解斜視図であり、図６及び図７は、本実施形態のボタンスイッチ部材及びその取り付け構造を示す断面図である。
【００１２】
本実施形態のプリンタ１は、図１及び図３に示すように、印刷部や用紙搬送部等を備えた動作機器２と、この動作機器２の上部から動作機器２を覆う上ケース１１と、動作機器２の正面側に配置され、奥行き方向にスライド自在な用紙カセット１３と、動作機器２の底面側に配置され、廃液インクを回収する廃液タンク３と、廃液タンク３とともに動作機器２を底面側から覆う下ケース１２と、動作機器２の正面部に位置する用紙カセット１３の上部に回動可能に設置された排紙トレイ１４と、動作機器２の正面両端部に位置するカバー１５ａ、１５ｂと、廃液タンク３の背後に位置する基板ユニット５と、基板ユニット５のコネクタ部を背面から覆うコネクタカバー６とから構成される。
【００１３】
上ケース１１は、下面を開放された略直方体形状を有しており、正面中央部には凹陥部９を有し、その両端すなわち上ケース１１の正面両端には両対称に開口部１６ａ、１６ｂが形成されている。
【００１４】
また、上ケース１１の両側壁下部には複数の係合片８ａ、８ｂが立設され、係合片８ａ、８ｂの立設位置に相対応して下ケース１２に設けられた係合凹溝７ａ、７ｂに係合片８ａ、８ｂが嵌合することによって、動作機器２が上ケース１１及び下ケース１２によって覆われている。以下、上ケース１１と下ケース１２を併せて装置ケース１０と呼ぶ。
【００１５】
用紙カセット１３の両側壁には、動作機器２の正面開口部の開口部両内壁１７ａ、１７ｂに突設された図示せぬ係合片と係合可能な図示せぬ係合凹溝が形成されている。用紙カセット１３は、係合片にガイドされながら係合凹溝の長手方向に沿ってプリンタ本体の奥行き方向にスライド可能であり、完全に係合がはずれた状態で、用紙カセット１３がプリンタ１から取り外される。用紙カセット１３は、プリンタ１から取り外された状態で、用紙の補充が行われる。
【００１６】
廃液タンク３は、略直方体の箱状のタンクであり、例えば、電源投入によるプリンタ機構の初期化の段階において行われる印刷ヘッドのインク吸引やフラッシング動作等により生じる廃インクを回収するタンクである。この廃液タンク３は、下ケース１２によってタンク底面が覆われるように動作機器２の底面に装着されている。
【００１７】
本実施形態のプリンタ１では、動作機器２内の図示せぬ用紙搬送路に沿って画像等が印刷された用紙を外部へ排出する。この排出後の用紙を受け取るためのトレイとして、用紙カセット１３の上部に排紙トレイ１４が設けられている。この排紙トレイ１４は、プリンタの操作時には用紙受取トレイとしてプリンタ正面部に開口状態に保たれるが（図１参照）、プリンタ操作停止時にはプリンタ上面に向かって回転軸を支軸としてほぼ直角に回動し（図３の矢印Ｃ方向）、プリンタの正面開口部を閉鎖することが可能である。このため、例えばプリンタ１を移動する場合に、排紙トレイ１４が正面に張り出すことがないため持ち易くコンパクトにプリンタを移動可能であり、排紙トレイ１４自体の破損を防止することが可能である。また、常時開口している場合と比較してプリンタの操作停止ごとに排紙トレイ１４を閉鎖すれば、プリンタ１内部への埃等の混入を防止することができる。
【００１８】
また、プリンタ１の正面両端にはインクカートリッジ収納部４ａ、４ｂを覆うカバー１５ａ、１５ｂが着脱可能に装着され、カバー１５ａ、１５ｂを開口することでインクカートリッジの交換が行われる。プリンタ１の背面部からは基板ユニット５のコネクタ部を覆うべくコネクタカバー６が装着されている。
【００１９】
下ケース１２の正面下部一端には、図３に示すように、円形開口部３６，３７が設けられている。この円形開口部３６，３７には、図２に詳細に示すように、それぞれボタンスイッチ部材５０及び電源スイッチ７３が取り付けられ、全体でボタンスイッチ８０を構成している。
【００２０】
以下、図４から図７を参照しながら、ボタンスイッチ部材５０及びボタンスイッチ部材５０を備えたボタンスイッチ８０について詳細に説明する。
【００２１】
図４は、本実施形態のボタンスイッチ８０を示す分解斜視図である。
ボタンスイッチ８０は、下ケース内側面１９ａと、下ケース内側面１９ａ及び下ケース内底面１９ｂ上に設けられた軸受部３８と、下ケース内底面１９ｂ上に設けられた係止部材３４と、下ケース１２の側壁１９aに開口した円形開口部３６，３７と、ボタンスイッチ部材５０と、スイッチ基板７２と、電源スイッチ７３と、を有している。以下、ボタンスイッチ部材５０を中心に、ボタンスイッチ８０の各部材について説明する。
【００２２】
ボタンスイッチ部材５０は、ＡＢＳ等の樹脂材料から構成され、板状の基体部５１に、操作部５２と、押圧部５３と、軸部５５と、係止片５６と、当接部５７とが一体形成されたものである。
【００２３】
図６に示すように、板状の基体部５１の一側面（表面側）からは、略円筒形状の操作部５２が突設されている。操作部５２の上方にあたる基体部５１の表面側上端部には、操作部５２よりも小さな略円筒形状の当接部５７が基体部５１から突設されている。一方、基体部５１の裏面側、具体的には操作部５２の裏側には、板状の押圧部５３が操作部５２と逆方向に突設されている。押圧部５３は、図６に示すように、上端部の途中から下端部に下がっていくにつれて基体部５１からの突出長さが大きくなっていき、下端部付近は緩やかな曲線を描く曲線部分を有しており、この曲線部分が押圧面５８を構成している。
【００２４】
基体部５１の下端部には、図４に示すように、端部５５ａ，５５ａが基体部５１の幅方向両端から（プリンタ１の幅方向）突出するように配置された軸部５５が設けられている。そして、軸部５５には、ほぼ基体部５１と略直角をなすように板形状の係止片５６が設けられている。
【００２５】
下ケース１２は、図５，図６に示すように、クランク形状を有しており、下ケース内側面１９ａと下ケース１９ｂは略直角に交わっている。この下ケース内側面１９ａと下ケース内底面１９ｂの交わる角近傍には、軸受部３８が設けられており、この軸受部３８の後方には係止部材３４が下ケース内底面１９ｂ上に設けられている。
【００２６】
軸受部３８は、ボタンスイッチ部材５０の軸部５５を支える軸受であり、後方側に開口した側面視コの字形状の溝３８ａを有している。
一方、係止部材３４は、プリンタ正面側の一部が削られて構成される段差部３９を有している。
【００２７】
ボタンスイッチ部材５０は、図４〜図６に示すように、軸部５５の端部５５ａを軸受部３８の溝３８ａに嵌め込むとともに、係止片５６の端部５６ａを係止部材３４の段差部３９に係合した状態で下ケース１２に取り付けられる。この状態で、ボタンスイッチ部材５０の操作部５２は、円形開口部３６内に挿通されており、操作部５２の操作面５４が円形開口部３６の正面側開口からプリンタ１の外方に突出する。これにより、ユーザは、操作面５４を操作可能な状態となる。
【００２８】
ここで、ボタンスイッチ部材５０は、軸部５５が軸受部３８に嵌め込まれ、係止片５６の端部５６ａが段差部３９に係合すると、係止片５６が自然状態から撓んで弾性変形した状態となる。図６に示す一点破線で描かれた係止片５６は、自然状態の係止片５６を示しており、取り付けた状態で上方に付勢されていることがわかる。これにより、ボタンスイッチ部材５０は、係止片５６の弾性変形による弾性力Ｆ１によって軸部５５を支軸として基体部５１が内側面１９ａ側に付勢され、操作部５７の上部に位置する当接部５７が、円形開口部３６近傍の内側周縁部１９ｃに押し付けられる。
【００２９】
すなわち、本実施形態のボタンスイッチ部材５０は、下ケース１２に対し、軸受部３８と、係止部材３４と、円形開口部３６近傍の内側周縁部１９ｃによって三点支持され、がたつきなく固定される。このように、本実施形態のボタンスイッチ部材５０は、例えばネジ等を使用せずとも、軸受部３８に軸部５５を組み付けるとほぼ同時に、段差部３９に係止片５６を係合させることにより、ほぼワンタッチでがたつきの無くボタンスイッチ部材５０を組み付けることができる。
【００３０】
次に、スイッチ基板７２の付設位置について説明する。
図４、図５に示すように、長方形状のスイッチ基板７２は、下ケース１２の底面から略円筒形状に立設された支持棒３１、３３の一端に設けられた係合部４１、４２がスイッチ基板７２の係合穴７５、７７に嵌合し、同じく下ケース１２の底面から略中空円筒形状に立設された支持棒３２に係合穴７６を介してネジ７１で固定されている。
【００３１】
スイッチ基板７２には、プリンタ１の電源のＯＮ／ＯＦＦを制御する電源スイッチ７３が取り付けられている。スイッチ基板７２は、の電源スイッチ７３が円形開口部３７に挿通された状態で取り付けられる。
【００３２】
また、スイッチ基板７２の底面側には、ボタンスイッチ部材５０の動作に応じた信号を生成するスイッチ（例えば、リセットスイッチ等）７８が設けられている。このスイッチ７８は、ボタンスイッチ部材５０の押圧面５８により押圧可能な被押圧部７９が前方側に設けられている。このスイッチ７８は、操作部５２の操作面５４がユーザにより押圧されて、軸部５５を軸として基体部５１全体が傾いたときに、押圧部５３の押圧面５８によって被押圧部７９が押圧されるように、押圧面５８の回転軌跡上に位置決めされている。
【００３３】
次に、操作面５４を外部から押圧した場合のボタンスイッチ部材５０の動作について詳細に説明する。
図７に示すように、操作面５４を外部から力Ｆ２で押圧するとボタンスイッチ部材５０は軸部５５を支軸として矢印ｆ２の方向に回転付勢され、回転軌跡上に配置された被押圧部７９を押圧する。被押圧部７９が押圧されると、スイッチ７８は閉回路状態となり、スイッチ基板７２の接続片７４を介して基板ユニット５へ電気信号が伝達される。このとき係止片５６は、ボタンスイッチ部材５０の組み付け時に持たせた撓み具合よりも大きく撓んだ状態となり、ボタンスイッチ部材５０の組み付け時に生じていた弾性力よりも大きな弾性力を生じるため、操作面５４の押圧を停止するとボタンスイッチ部材５０はｆ１方向に回転付勢され、組み付け時状態に戻ることが可能となる。
【００３４】
以上説明したように、本実施形態のボタンスイッチ８０は、主としてボタンスイッチ部材５０により構成され、このボタンスイッチ部材５０は、基体部５１と、基体部５１の一端近傍表面側に設けられ、下ケース１２に形成された円形開口部３６よりプリンタ１の外部へ突出する操作部５２と、基体部５１の背面側に設けられ、操作部５２の操作によりスイッチ基板７２に設けられたスイッチ７８の被押圧部７９を押圧する押圧部５３と、基体部５１の他端に設けられ、下ケース１２に設けられる軸受部３８に支持される軸部５５と、基体部５１と角度を為すように軸部５５に設けられ、弾性変形した状態でプリンタ１の係止部材３４に取り付けられる係止片５６と、係止片５６の弾性力により下ケース１２の内側面１９ａの開口周縁部１９ｃに対して当接する当接部５７とを備えている。
【００３５】
本実施形態のボタンスイッチ８０によれば、係止片５６が弾性変形した状態で装着され、その付勢力により当接部５７が下ケース１２の開口周縁部１９ｃへ当接されるため、ボタンスイッチ部材５０をがたつきがなく、脱落しにくい状態で下ケース１２に確実に取り付けることが可能となる。したがって、ボタン操作時にがたつきによりリニアな操作感が得られないといった問題の生じることのないボタン操作感覚性に優れたボタンスイッチ部材５０及びこのボタンスイッチ部材５０を備えたボタンスイッチ８０を提供することができる。
【００３６】
また、本実施形態のボタンスイッチ８０は、ボタンスイッチ部材５０が基体部５１、操作部５２、押圧部５３、軸部５５、係止片５６、及び当接部５７は、一体成形されたコンパクトな形状を有している。したがって、プリンタ１全体に対するボタンスイッチ８０の占有部分を小さくすることができプリンタの小型化に寄与することが可能である。
【００３７】
また、本実施形態のボタンスイッチ８０においては、例えばネジ等を使用せずとも、軸受部３８に軸部５５を組み付けるとほぼ同時に、段差部３９に係止片５６を係合させることにより、ほぼワンタッチでがたつきの無くボタンスイッチ部材５０を組み付けることができる。したがって、ボタンスイッチ部材５０の装着が容易であり、プリンタ１の製造時の組立工程を短縮することができる。また、本実施形態のボタンスイッチ８０においては、ボタンスイッチ部材５０に弾性変形自在な弾性連結部等を軸部５５の両端に設けることなく、ボタンスイッチ部材５０を容易に装着することが可能である。
【００３８】
また、本実施形態におけるボタンスイッチ８０は、基体部と軸部との間に弾性変形可能な複雑な構造を有する弾性部材を必要とせず、簡易な構造を有している。したがって、操作部５２が大きな力で押圧された場合でも軸部や軸受部が破損する虞は少なく、ボタンスイッチ８０を安定して長期間にわたり使用することができる。
【００３９】
また、ボタンスイッチ５０と下ケース１２が異なる材質で構成されている場合には、プリンタ１のリサイクル時に分解作業が必要となるが、ボタンスイッチ部材５０を取り外すときには、係止片５６の端部５６ａを係止部材３４の段差部３９からずらしてやるだけで、ボタンスイッチ部材５０を取り外すことができる。したがって、本実施形態によれば、ボタンスイッチ５０を下ケース１２から容易に取り外しできるため、材料分別のための分解作業も短時間で行うことができる。
【００４０】
なお、本実施形態では、ボタンスイッチ部材５０の材質例として寿命が長くリサイクル性に優れたＡＢＳ樹脂を挙げたが、ＡＢＳ樹脂に限ることなく他の樹脂材を採用してもよい。
【００４１】
なお、上記説明では、一つの操作部５２を有するボタンスイッチ部材５０について説明を行ったが、複数のボタンスイッチ部材５０を一体化し、複数の操作部を有するボタンスイッチ部材として構成しても良い。
【００４２】
図８は、本実施形態の変形例の一つである複数個のボタンスイッチを一体成型したボタンスイッチ部材１００の斜視図である。
【００４３】
本変形例のボタンスイッチ部材１００は、弾性部材からなる係止片９６ａ、９６ｂ、９６ｃと、板状の基体部９１ａ、９１ｂ、９２ｃ、と、当接部９７ａ，９７ｂ、９７ｃ、と、基体部と係止片とをほぼ垂直に保つための軸部９５ａ、９５ｂ，９５ｃ、と、操作部９２ａ，９２ｂ、９２ｃと、押圧部９３ａ、９３ｂ、９３ｃ，とをそれぞれ有するボタンスイッチ部材１００ａ，１００ｂ，１００ｃを備え、各ボタンスイッチ部材１００ａ，１００ｂ，１００ｃが接続板１０１，１０２によって接続されて、全体として一体と成って形成されている。
【００４４】
このように、本変形例のボタンスイッチ１００によれば、例えば、三つの押しボタン部を有する電子機器を組み立てる場合でも実際には一つの構成部品として組み立てることができるため大幅に組立工程を短縮することができる。また電子機器のリサイクル時に分解作業が必要となる場合でも、本発明に係るボタンスイッチ１００は電子機器から容易に取り外しが可能なため分解作業工程も容易になる。
【図面の簡単な説明】
【００４５】
【図１】本実施形態のボタンスイッチ部材を搭載したプリンタの斜視図である。
【図２】本実施形態のボタンスイッチ部分を拡大した斜視図である。
【図３】本実施形態のプリンタの分解斜視図である。
【図４】本実施形態のボタンスイッチを示す分解斜視図である。
【図５】本実施形態のボタンスイッチを示す分解斜視図である。
【図６】本実施形態のボタンスイッチを示す断面図である。
【図７】本実施形態のボタンスイッチを示す断面図である。
【図８】本実施形態の変形例に係り、複数個のボタンスイッチを一体成型したボタンスイッチの斜視図である。
【図９】従来のボタンスイッチ部材を示す斜視図である。
【図１０】従来のボタンスイッチを示す断面図である。
【符号の説明】
【００４６】
１０・・・プリンタ筐体、１１・・・上ケース、１２・・・下ケース、１３・・・用紙カセット、１４・・・排紙トレイ、５０，１００・・・ボタンスイッチ部材、５２・・・操作部、５３・・・押圧部、５４・・・操作面、５５・・・軸部、５６・・・係止片、５７・・当接部、８０・・・ボタンスイッチ
【図１】
2006150871.tif 000003
【図２】
2006150871.tif 000004
【図３】
2006150871.tif 000005
【図４】
2006150871.tif 000006
【図５】
2006150871.tif 000007
【図６】
2006150871.tif 000008
【図７】
2006150871.tif 000009
【図８】
2006150871.tif 000010
【図９】
2006150871.tif 000011
【図１０】
2006150871.tif 000012